(57)【特許請求の範囲】
【請求項１】
上方および前方が開放された収納筐体と、
前記収納筐体の開口部の前側上方に着脱可能に構成され、プッシュラッチが取り付けられた梁部材と、
を備え、
引出しおよび扉の一方を選択的に取り付け可能に構成されている、
収納システム。
【請求項２】
前記開口部に取り付け可能に構成された扉をさらに備える、
請求項１に記載の収納システム。
【請求項３】
前記開口部に挿入して前記収納筐体内に配置可能な引き出しをさらに備える、
請求項２に記載の収納システム。
【発明の詳細な説明】
【技術分野】
【０００１】
本発明は、収納システム、より詳しくは、任意の段数で構成できる収納システムに関する。
【背景技術】
【０００２】
各種物品を内部に収納するキャビネットを複数備える収納システムが、家屋内や建物内等に設置されて広く使用されている。
【０００３】
キャビネットの態様として、引き出しタイプと扉タイプとが知られている。
引き出しタイプは、前方が開口した収納筐体に引き出しがスライド可能に収容された構造を有する。扉タイプは、前方が開口した収納筐体に、ヒンジや回動軸等を用いて扉が開閉可能に取り付けられた構成を有する。
【０００４】
扉の取り付け構造として、プッシュラッチが知られている（例えば、特許文献１参照）。
【先行技術文献】
【特許文献】
【０００５】
【特許文献１】特開２０１１−８０３０３号公報
【発明の概要】
【発明が解決しようとする課題】
【０００６】
収納システムにおいて、引き出しタイプのキャビネットと扉タイプのキャビネットとを組み合わせたいというニーズがある。
引き出しタイプにプッシュラッチを採用する場合、プッシュラッチを取り付けるための構造を収納筐体に設ける必要がある。このような収納筐体を引き出しタイプに適用する場合、この構造が引き出しを出し入れするための妨げになりやすい。このため、引き出しタイプと扉タイプとで収納筐体を共通化することは容易ではない。
したがって、上記ニーズに応えるためには構造が異なる２種類の収納筐体を用意する必要があり、収納システムの製造コスト増加の原因となる。
【０００７】
上記事情を踏まえ、本発明は、共通の収納筐体を使用しつつ、引き出しタイプと扉タイプとの組み合わせに対応可能な収納システムを提供することを目的とする。
【課題を解決するための手段】
【０００８】
本発明は、上方および前方が開放された収納筐体と、この収納筐体の開口部の前側上方に着脱可能に構成され、プッシュラッチが取り付けられた梁部材とを備える収納システムである。
この収納システムは、引出しおよび扉の一方を選択的に取り付け可能に構成されている。
【発明の効果】
【０００９】
本発明によれば、共通の収納筐体を使用しつつ、引き出しタイプと扉タイプとの組み合わせに対応可能な収納システムを提供できる。
【図面の簡単な説明】
【００１０】
【図１】本発明の一実施形態に係る収納システムに係る収納筐体の斜視図である。
【図２】同収納筐体に係る底板の平面図である。
【図３】同収納筐体に係る左壁の右側面図である。
【図４】同収納筐体に係る天板の底面図である。
【図５】同収納筐体に係る背板を前側から見た斜視図である。
【図６】同背板を後側から見た斜視図である。
【図７】梁部材を示す正面図である。
【図８】同梁部材を斜め上側から見た図である。
【図９】本実施形態の収納システムの一例を示す図である。
【図１０】収納筐体を扉タイプのキャビネットとする際の構造を示す図である。
【発明を実施するための形態】
【００１１】
本発明の一実施形態について、図１から図１０を参照して説明する。
本実施形態の収納システムは、収納筐体と、この収納筐体に取り付けられる天板および梁部材を備えている。さらに、オプション部品として、収納筐体に選択的に取り付け可能な引き出しおよび扉が揃えられている。
【００１２】
図１は、収納筐体１を示す斜視図であり、梁部材７０が取り付けられた状態を示している。収納筐体１は、底板１０と、左壁２０と、右壁３０と、背板５０とを備えており、上方および前方が開放されている。
底板１０、左壁２０、右壁３０、および背板５０の材質は、収納システムに収納される物品や要求される強度等を考慮して、樹脂、金属、木材などの各種材料から適宜選択できる。
【００１３】
図２は、底板１０の模式平面図である。底板１０の平面視形状は長方形（正方形を含む。以下同じ）である。底板１０の後部上面には、背板５０と係合するための溝１１が、後辺１２と一定の距離を空けて平行に延びている。
【００１４】
左壁２０および右壁３０は、底板１０上に、それぞれ底板１０の左辺１４および右辺１３に沿って取り付けられている。
左壁２０および右壁３０の底板１０への取り付け方法には特に制限はない。例えば、ネジによる固定や、底板に設けた溝に嵌合させる、接着するなどの方法を例示できる。これらの方法が複数組み合わされてもよい。本実施形態では、左壁２０および右壁３０の一部が底板１０に形成された溝１５に進入して嵌合することにより左壁２０および右壁３０が底板１０に固定されている。
【００１５】
図３は、左壁２０の右側面図である。左壁２０において、内部空間側となる右側面２５には、複数の突起２１が形成されている。
右側面２５の後部には、背板係合部２６が形成されている。背板係合部２６の前後方向中央部には、上下方向に延びる溝２７が形成されている。
右側面２５の前側上部には、梁部材を固定するための取り付け穴２８が形成されている。
左壁２０の上部には、天板または底板に差し込まれる２つの差し込み片２９が突出している。
【００１６】
図示を省略するが、右壁３０は、左右が反転している点を除き、左壁２０と同一の形状および構造を有する。
右壁３０において内部空間側となる左側面には、突起２１と同様の右側突起（不図示）が複数形成されている。突起２１には、それぞれ対になる一つの右側突起が存在する。対になる突起２１および右側突起は、収納筐体１の上下方向における位置（高さ）および前後方向における位置（奥行）が概ね同一である。
突起２１および右側突起の数や配置は、適宜設定できる。
さらに、取り付け穴２８と対向する位置に、同様の形状の取り付け穴が形成され、差し込み片２９と対向する位置に、同様の形状の差し込み片が設けられている。
【００１７】
図４は、天板４０の底面図である。天板４０の底面後部には、後辺４１と略平行に延びる溝４５が形成されている。底面の左右には、左壁２０および右壁３０の差し込み片と嵌合可能な孔４６が形成されている。
図示を省略するが、底板１０の底面にも、溝４５および孔４６と同様の構成が設けられている。
【００１８】
図５は、背板５０を前側から見た斜視図であり、図６は、背板５０を後ろ側から見た斜視図である。背板５０は、収納筐体１の後部を覆う本体５１と、本体５１の周縁から延びる４つの側面とを有する。
本体５１の正面視形状は長方形である。本体５１の周縁からは、下面５２、左面５３、右面５４、および上面５５の側面が前方に延びている。
【００１９】
本体５１は、中央部に略長方形の貫通溝６１を有する。貫通溝６１は、少なくとも一か所で途切れているため、貫通溝６１に囲まれた領域Ｒ１は、本体５１の他の領域から切り離されていない。貫通溝６１の途切れた部分を切断して貫通溝６１を連続させることにより、貫通溝６１に囲まれた領域Ｒ１をくり抜いて、本体５１に穴をあけることができる。貫通溝６１の位置や領域Ｒ１の大きさ等は、適宜設定できる。貫通溝と領域の組が複数設けられてもよい。さらに、貫通溝６１が設けられなくてもよい。
【００２０】
左面５３および右面５４の外側の面には、前後方向中央部において上下方向に延びる凸条５６が形成されている。凸条５６は、背板係合部２６に形成された溝２７に進入できる寸法を有する。左面５３および右面５４において、対向する内側の面には、突起２１および右側突起と同様の突起５７が形成されている。
【００２１】
図６に示すように、下面５２の外側の面の前端部には、左右方向に延びる凸条５８が形成されている。凸条５８（第一突起）は、底板１０に形成された溝１１に進入できる寸法を有する。
図５および図６に示すように、上面５５の外側の面の後端部には、左右方向に延びる凸条５９が形成されている。凸条５９（第二突起）は、天板４０および底板１０の底面に形成された溝に進入できる寸法を有する。
【００２２】
底板１０に左壁２０および右壁３０を取り付け、さらに、背板５０を左壁２０および右壁３０の背板係合部に係合させながら背板５０を底板１０に取り付けると、収納筐体１が完成する。
収納筐体１の上方に他の収納筐体１を移動し、上側の底板１０の孔および溝に、左壁２０および右壁３０の差し込み片２９および背板５０の凸条５９をそれぞれはめ込むと、２つの収納筐体１を、高さ方向に積み重ねた状態に組み立てられる。
【００２３】
同様の手順を繰り返すことで、収納筐体１は、高さ方向に所望の数積み重ねることができる。最後に、一番上に位置する収納筐体の差し込み片２９および凸条５９を、天板４０の孔４６および溝４５にはめ込むと、積み重ねられた収納筐体１の上部が天板４０で覆われる。
【００２４】
図７は、梁部材７０を示す正面図であり、図８は、梁部材７０を斜め上側から見た斜視図である。
梁部材７０は、一方向に延びる部材であり、図７および図８に示すように、長手方向両側端部から複数の係合片７１が長手方向に突出している。梁部材は、収納筐体１と同様の材料で形成できる。係合片７１の数、配置、および寸法は、左壁２０の取り付け穴２８および右壁３０に形成された取り付け穴に対応している。梁部材７０は、図１に示すように、上部および前部が開放された収納筐体１の開口部の前側上方において、左壁２０と右壁３０との間を渡すように取り付けられ、取り外し可能である。
【００２５】
梁部材７０の長手方向中央部には、一対のプッシュラッチ８１、８２が取り付けられている。プッシュラッチは、公知の構造を有する。本実施形態のプッシュラッチはマグネット式であるが、機械的係合タイプなど、他の公知の各種タイプも採用できる。
【００２６】
上記の様に構成された本実施形態に係る収納システムの使用時の動作について説明する。
まず、上述した手順で、所望の数の収納筐体1を積み重ね、最上部に天板４０を取り付ける。積み重ねられる収納筐体において、底板１０は共通であり、同一寸法を有するが、左壁２０および右壁３０によって規定される高さについては、すべて同一であってもよいし、一部の高さが異なっていてもよい。
図９に示す収納システム１００では、２つの収納筐体１Ａと、収納筐体１Ａよりも高い一つの収納筐体１Ｂとが積み重ねられている。
【００２７】
梁部材７０は、各収納筐体の使用態様に応じて、取り付けられたり取り外されたりする。収納筐体１Ａのように、引き出し９１を取り付けて引き出しタイプのキャビネットとして使用する場合は、梁部材７０を収納筐体から取り外す。
【００２８】
一方、収納筐体１Ｂの様に扉９５を取り付けて扉タイプのキャビネットとして使用する場合は、梁部材７０の係合片７１を取り付け穴２８に嵌合させて収納筐体に取り付ける。本実施形態のプッシュラッチはマグネット式であるため、扉９５の材質が磁性体（強磁性体）でない等の場合は、必要に応じて、図１０に示すように、プッシュラッチに着脱できる鉄板９６等を扉９５に取り付ける。プッシュラッチが機械係合タイプの場合は、ラッチに係合する部材等を扉９５に取り付ける。
金具や回動軸等を用いて開閉可能に扉９５を収納筐体に取り付けると、扉タイプのキャビネットが完成する。扉９５を収納筐体１に取り付けるための構造は、公知の各種構造から適宜選択できる。
扉タイプのキャビネットとして収納筐体１を使用する場合は、必要に応じて突起２１等に仕切り板（不図示）等を設置して、収納筐体１の内部空間を分割してもよい。
【００２９】
組み立てられた収納システムにおいて、扉９５は、プッシュラッチ８１、８２に対して押し込むことにより開閉できるため、扉９５に取手等を設ける必要はない。したがって、本実施形態に係る扉タイプのキャビネットは、突出部位のないシンプルな外観とできる。
【００３０】
以上説明したように、本実施形態の収納システムによれば、プッシュラッチ８１、８２を備えた梁部材７０が収納筐体１に着脱可能に構成されていることにより、収納筐体１の上方を開放して高さ方向に効率よく積み重ね可能としつつ、扉タイプおよび引き出しタイプのいずれにも好適に対応できる。したがって、引き出しタイプとして使用する場合に、梁部材７０が引出しの挙動や使用者の収納筐体内部へのアクセスを妨げることがない。
上部が開放された収納筐体においては、左右方向中央部にプッシュラッチを配置することが難しい。したがって、本実施形態の構造は、扉タイプを、一対の扉が左右方向中央部で開閉する「観音開き構造」とする場合に特に有効である。
【００３１】
以上、本発明の一実施形態について説明したが、本発明の技術範囲は上記実施形態の記載に限定されるものではなく、本発明の趣旨を逸脱しない範囲において各構成要素に種々の変更を加えたり、削除したりすることが可能である。以下にいくつか変更を例示するが、これらはすべてではなく、それ以外の変更も可能である。これらの変更が適宜組み合わされてもよい。
【００３２】
・底板にキャスタを取り付けて、移動しやすくしてもよい。
・扉は、ガラスの様に透明なものでもよいし、不透明なものでもよい。
・収納筐体の内面に設けられる突起を取り外し可能とし、突起を取り付け可能な複数の穴を収納空間内面に設けてもよい。
【００３３】
・本発明の収納システムにおいては、複数の収納筐体、梁部材、扉、および引出しを備え、使用者が所望のシステムを自由に構築できる態様が典型的である。しかし、収納筐体を増やしたい等の需要に答えるために、収納筐体および梁部材をそれぞれ一つのみ備えるような、追加用の単位が販売されることがありうる。さらに、扉や引き出しも、これら追加用単位と組み合わせることを目的として、それぞれ単独で販売されることがありうる。
したがって、本発明の収納システムにおいて、収納筐体を複数備えることや、扉または引出しを備えることは必須ではない。
【符号の説明】
【００３４】
１、１Ａ、１Ｂ  収納筐体
１０  底板
２０  左壁
３０  右壁
４０  天板
５０  背板
７０  梁部材
８１、８２  プッシュラッチ
９１  引き出し
９５  扉
１００  収納システム
【要約】
【課題】共通の収納筐体を使用しつつ、引き出しタイプと扉タイプとの組み合わせに対応可能な収納システムを提供する。
【解決手段】収納システムは、上方および前方が開放された収納筐体１と、収納筐体１の開口部に着脱可能に構成され、プッシュラッチが取り付けられた梁部材７０とを備える。
【選択図】図１【図１】
0006743252.tif 000002
【図２】
0006743252.tif 000003
【図３】
0006743252.tif 000004
【図４】
0006743252.tif 000005
【図５】
0006743252.tif 000006
【図６】
0006743252.tif 000007
【図７】
0006743252.tif 000008
【図８】
0006743252.tif 000009
【図９】
0006743252.tif 000010
【図１０】
0006743252.tif 000011